(57)【要約】【課題】この考案は立体不織布マスクに関し、装着時のフィット性に優れた立体不織布マスクを提供することを目的とする。【解決手段】不織布で形成されたマスク本体１２と、前記マスク本体１２の幅方向の両側にそれぞれ設けられた掛け紐１４とを備える。前記マスク本体１２は、前記幅方向に延びる外折曲部および内折曲部を含む複数の襞部１６と、前記襞部１６において、重なり合った複数の前記不織布を固着させるシール部１８とを備える。前記シール部１８は、装着者の鼻骨の両脇に位置する箇所に設けられている。【選択図】図１
0003221095.tif 000002
【実用新案登録請求の範囲】
【請求項１】
不織布で形成されたマスク本体と、前記マスク本体の幅方向の両側にそれぞれ設けられた掛け紐と、を備える立体不織布マスクであって、
前記マスク本体は、
前記幅方向に延びる外折曲部および内折曲部を含む複数の襞部と、
前記襞部において、重なり合った複数の前記不織布を固着させるシール部と、を備え、
前記シール部は、装着者の鼻骨の両脇に位置する箇所に設けられていることを特徴とする立体不織布マスク。
【請求項２】
前記シール部は、前記鼻骨の両脇に位置する箇所に、左右対称となるように設けられていることを特徴とする請求項１に記載の立体不織布マスク。
【請求項３】
前記シール部は、
前記鼻骨の両脇に、それぞれ複数個設けられており、かつ、
鼻根から鼻翼にかけての鼻部幅の広がりに対応して、左右対称に鼻根側に設けられたもの同士の間隔より、左右対称に鼻翼側に設けられたもの同士の間隔が広くなるように設けられていることを特徴とする請求項２に記載の立体不織布マスク。
【請求項４】
前記シール部は、前記マスク本体の、高さ方向の上側２／３の領域に設けられていることを特徴とする請求項１乃至３の何れか１項に記載の立体不織布マスク。
【請求項５】
前記シール部は、前記マスク本体の、高さ方向の上側１／２の領域に設けられていることを特徴とする請求項４に記載の立体不織布マスク。
【請求項６】
前記シール部は、重なり合った複数の前記不織布が溶着することで形成された溶着部を有することを特徴とする請求項１乃至５の何れか１項に記載の立体不織布マスク。
【請求項７】
前記マスク本体の幅方向中央、上端に、弾性変形が可能で、変形後の形状を維持する形状維持材が備え付けられていることを特徴とする請求項１乃至６の何れか１項に記載の立体不織布マスク。
【考案の詳細な説明】
【技術分野】
【０００１】
この考案は、立体不織布マスクに係り、特に装着時のフィット性に優れた立体不織布マスクに関する。
【背景技術】
【０００２】
従来、装着時のフィット性を高めるために、マスク本体に複数の襞をプリーツ状に折り込んだマスクが知られている。このようなマスクの襞は、マスクの幅方向と並行に設けられるのが通常であり、それらが開くことで、マスクは、装着者の鼻部および口部を覆う部分が膨んだ立体形状となる。これにより、マスクの装着者は、良好なフィット感を得ることができる。
【考案の概要】
【考案が解決しようとする課題】
【０００３】
しかしながら、上記従来のマスクは、襞を持たないマスクに比して優れたフィット性を提供するものの、特に鼻部の周辺において、装着者にフィット性の不足を感じさせる場合があった。例えば、従来のマスクは、鼻の上部に当たる鼻根とマスクとの間に隙間を発生させ易く、マスクと共に眼鏡が装着されると、装着者の吐息によって眼鏡に曇りを生じさせ易いものであった。また、マスクと頬の間に隙間を生じさせてしまい、その結果、花粉やウイルスに対するフィルタ効果を低下させる場合のあるものであった。
【０００４】
この考案は、上述のような課題を解決するためになされたもので、装着時のフィット性に優れた立体不織布マスクを提供することを目的とする。
【課題を解決するための手段】
【０００５】
この考案は、上記の目的を達成するため、不織布で形成されたマスク本体と、前記マスク本体の幅方向の両側にそれぞれ設けられた掛け紐と、を備える立体不織布マスクであって、
前記マスク本体は、
前記幅方向に延びる外折曲部および内折曲部を含む複数の襞部と、
前記襞部において、重なり合った複数の前記不織布を固着させるシール部と、を備え、
前記シール部は、装着者の鼻骨の両脇に位置する箇所に設けられていることを特徴とする。
【考案の効果】
【０００６】
この考案によれば、装着者は、掛け紐を耳にかけることで、マスク本体が鼻部と口部を覆うように、立体不織布マスクを装着することができる。マスク本体が備える襞部は、装着者の鼻骨の周辺では、シール部によって開かない状態に保持される。その結果、鼻骨を覆う部分では、マスク本体が、上下方向に直線的な外形を維持する。この外形は鼻背に沿ってフィットするため、鼻根とマスク本体との間に隙間は生じ難い。他方、シール部の設けられていない領域では、襞部が開くことにより、マスク本体の外形が膨らみを持った立体的なものとなる。この外形は、マスク本体を装着者の頬にフィットさせながら、口部や鼻翼の周辺に適度な空間或いは溜めを形成する。このため、本考案によれば、装着時のフィット性に優れた立体不織布マスクを提供することができる。
【図面の簡単な説明】
【０００７】
【図１】本考案の第１実施形態に係る立体不織布マスクの装着時の外観を示す図である。
【図２】図２（Ａ）は、図１に示す立体不織布マスクの初期状態を外側からの平面視で表した図である。図２（Ｂ）は、図１に示す立体不織布マスクの初期状態を内側からの平面視で表した図である。
【図３】鼻部周辺の名称を示す図である。
【図４】図４（Ａ）は、図１に示す立体不織布マスクの装着時の外観を側面視で表した図である。図４（Ｂ）は、比較例のマスクの装着時の外観を側面視で表した図である。
【考案を実施するための形態】
【０００８】
実施の形態１．
図１は、本考案の実施の形態１の立体不織布マスク１０の外観を示す。本実施形態のマスク１０は、マスク本体１２を有している。マスク本体１２は、不織布で構成されている。マスク本体１２には、幅方向の両端にそれぞれ掛け紐１４が取り付けられている。
【０００９】
マスク本体１２は、幅方向に延びる複数の襞部１６を備えている。これらの襞部１６は、不織布を外折りすることで形成された外折曲部と、不織布を内折りすることで形成された内折曲部との組み合わせによって構成されている。
【００１０】
マスク本体１２の４辺、つまり４つの端部には縫合等の処理が施されている。このため、襞部１６は、マスク本体１２の幅方向の両端付近では開くことができない。そして、襞部１６は、幅方向の両端付近から中央付近に近づくに連れて、開き易い状態となる。図１には、マスク本体１２の下半分に設けられた襞部１６が、幅方向の中心付近で特に大きく開くことにより、中央部が張り出して立体形状となったマスク１０の外形が示されている。
【００１１】
本実施形態の立体不織布マスク１０では、マスク本体１２にシール部１８が設けられている。マスク本体１２は、例えばポリプロピレンのように、溶着が可能な材質で構成されている。シール部１８は、襞部１６において重なり合った複数の不織布を、電気溶着法による超音波シール溶着で局所的に固着させることにより実現されている。シール部１８は、重なり合った不織布を互いに固着させるため、シール部１８が形成された箇所では、襞部１６が開くことはなく、その外折りおよび内折りが、ほぼ初期状態のまま維持される。
【００１２】
また、マスク本体１２は、形状維持材２０を備えている。形状維持材２０は、マスク本体１２の形状を、装着者の顔の凹凸に倣った形状に維持するための部材であり、弾性変形が可能で、変形後の形状を維持する材質で構成される。形状維持材２０は、マスク本体１２の幅方向中央付近の上端に、所定の幅を持って埋め込まれている。
【００１３】
以下、図２および図３を参照して、シール部１８の特徴を更に説明する。
図２は、シール部１８が形成される位置を説明するための図である。より具体的には、図２（Ａ）は、初期状態の立体不織布マスク１０を外側からの平面視で示した図である。また、図２（Ｂ）は、初期状態の立体不織布マスク１０を内側からの平面視で示した図である。
【００１４】
図３は、マスク１０の装着場所である鼻部周辺の名称を示す図である。以下、図３に示すように、両目の間にある鼻の付け根の部分を「鼻根」、鼻根から鼻の先端まで伸びる線、つまり鼻骨によって形成される線を「鼻背」、鼻の先の左右両端にふくれている部分を「鼻翼」、鼻の入口、つまり鼻と上唇との間を「鼻前庭」と称す。
【００１５】
図２（Ａ）および図２（Ｂ）に示すように、シール部１８は、マスク本体１２の不織布が、外側から内側まで貫通して溶着されるように設けられている。シール部１８が設けられるそれぞれの箇所には、襞部１６の構造にも起因して、複数毎の不織布が重なり合っている。シール部１８は、それらの全てを局所的に固定している。
【００１６】
また、図２（Ａ）および図２（Ｂ）に示すように、シール部１８は、マスク装着者の鼻背、つまり鼻骨の両脇に位置する箇所に設けられている。特に、本実施形態では、シール部１８が、鼻骨を挟んで左右対称となるように、かつ、鼻骨の両脇に夫々複数個、具体的には２つずつ設けられている。鼻部の幅は、鼻根から鼻翼にかけて広がるのが通常である。これに合わせて、本実施形態では、鼻根側に設けられた左右のシール部１８の間隔より、鼻翼側に設けられた左右のシール部１８の間隔が広く設定さている。
【００１７】
また、本実施形態では、シール部１８に、装着者の鼻部の両脇で襞部１６の開きを阻止し、かつ、装着者の口部の周辺で襞部１６の開きを損なわないことを求めている。このため、シール部１８は、装着者の口部周辺を覆うことになるマスク本体１２の下側１／３の領域、より好ましくは下側１／２の領域には設けないこととしている。つまり、本実施形態では、シール部１８は、マスク本体１２の上側２／３の領域、より好ましくは上側１／２の領域に設けることとしている。
【００１８】
図４は、装着時における本実施形態の立体不織布マスク１０の形状と、装着時における比較例のマスク３０の形状とを対比して表した図である。より具体的には、図４（Ａ）は、本実施形態の立体不織布マスク１０の装着時の外観を側面視で表した図である。また、図４（Ｂ）は、比較例のマスク３０の装着時の外観を側面視で表した図である。
【００１９】
図４（Ａ）に示すように、本実施形態の立体不織布マスク１０では、シール部１８の機能により、マスク本体１２の上側では、襞部１６の開きが抑制される。その結果、鼻背を覆うことになる領域２２は、鼻骨と同様の直線的な形状となる。但し、左右のシール部１８に挟まれた領域では、襞部１６に開き方向の自由が残されているため、領域２２において、マスク本体１２は、装着者の鼻部の形状に応じた適切な立体形状を実現することができる。加えて、マスク本体１２の下側にはシール部１８が設けられていないため、口部を覆う領域では、襞部１６が開くことにより、曲線的な膨らみが確保される。
【００２０】
比較例のマスク３０は、襞部１６は備えているがシール部１８を備えていないマスクである。比較例のマスク３０の場合は、図４（Ｂ）に示すように、幅方向の中央部付近では、マスク本体１２の全域で襞部１６が高さ方向に開くことができる。このため、このマスク３０の外観は、鼻根を覆うべき領域からあごを覆うべき領域まで、全体に曲線的な膨らみを持ったものとなる。
【００２１】
本実施形態の立体不織布マスク１０によれば、上記の通り、シール部１８の機能によって、鼻骨に沿った適切な立体形状を鼻部周辺にて形成することができる。このため、このマスク１０によれば、鼻部の周辺において、比較例のマスク１０に比して著しく優れたフィット性を実現することができる。
【００２２】
また、本実施形態の立体不織布マスク１０によれば、シール部１８の機能により、鼻部の両脇で装着者の頬を覆う領域でも、襞部１６の開きは抑制される。その結果、マスク本体１２の頬へのフィット感が改善される。更に、頬の部分でのマスクの浮きが少なくなるため、マスク上方への息の抜けが少なくなって眼鏡装着時の曇りの問題が改善され、更に、マスクのフィルタ効果も改善される。
【００２３】
以下に本実施形態の立体不織布マスク１０の機能および効果を別の視点から要約する。
本実施形態では、立体不織布マスク１０の装着時の快適性（肌触り・通気性・透湿性）と機能性を追及する。
【００２４】
（１）形状の安定
無駄な圧迫感がなく柔らかな掛け紐１４で装着者の顔にフィットする安定した形状を実現する。
（２）通気性の改善
マスク本体１２の鼻翼内部に溜めを作り、鼻翼を不織布で塞がず呼吸がし易いようにする。
（３）ウイルス遮断効果の改善
マスク本体１２が装着者の顔にフィットするので、顔の頬両脇および上下に隙間ができ難く、空気の漏れと、花粉やウイルスの侵入を防ぐことができる。
（４）眼鏡装着時の曇り低減
マスク本体１２と鼻根周辺との間に隙間ができないため、眼鏡装着時に、眼鏡の内側に息が漏れ出ることがなく、呼吸に伴う眼鏡の曇りが解消若しくは低減される。
【００２５】
［実施の形態１の変形例］
ところで、上述した実施の形態１では、シール部１８を、電気溶着法による超音波シール溶着に限定しているが、本考案はこれに限定されるものではない。シール部１８は、襞部１６の開きを阻止するものであれば足り、例えば、接着や縫合、或いは他の手法による溶着によるものであってもよい。
【００２６】
また、上述した実施の形態１では、シール部１８を、鼻骨の両脇に左右対称に設けることとしているが、本考案はこれに限定されるものではない。シール部１８は、鼻部の両脇で襞部１６の開きが抑制できるように設けられていればよく、その配置は左右非対称であってもよい。
【００２７】
また、上述した実施の形態１では、シール部１８を、鼻骨の両脇に夫々２つずつ設けることとしているが、本考案はこれに限定されるものではない。シール部１８は、鼻骨の両脇に一つずつ設けることとしてもよい。或いは、シール部１８は、鼻骨の両脇に、３つ以上設けることとしてもよい。
【００２８】
また、上述した実施の形態１では、シール部１８を、一つの襞部１６に対して、鼻骨の両脇に夫々一つずつ設けることとしているが、本考案はこれに限定されるものではない。シール部１８は、鼻骨の両脇に夫々２つ以上設けることとしてもよい。
【符号の説明】
【００２９】
１０  立体不織布マスク
１２  マスク本体
１４  掛け紐
１６  襞部
１８  シール部
２０  形状維持材
【図１】
0003221095.tif 000003
【図２】
0003221095.tif 000004
【図３】
0003221095.tif 000005
【図４】
0003221095.tif 000006